【事件の表示】
　特願２０１４−１５０９７９「データ読み出し装置及び情報処理装置」拒絶査定不服審判事件〔平成２７年　４月１６日出願公開、特開２０１５−　７２６７６〕について、次のとおり審決する。
【結　論】
　本件審判の請求は、成り立たない。
【理　由】
第１　手続の経緯
　本願は，平成２６年７月２４日（国内優先権主張日：平成２５年９月３日）を出願日とする出願であって，平成２７年７月１７日付けで拒絶理由通知がなされ，平成２７年９月１０日付けで意見書と共に手続補正書が提出されたが，平成２７年１２月１１日付けで拒絶査定がなされ，これに対して平成２８年３月１５日付けで拒絶査定不服審判請求がなされたものである。 
　
第２　本願発明について
　平成２７年９月１０日付けの手続補正書による特許請求の範囲の請求項１（以下，「本願発明」という。）は以下のとおりのものである。
「【請求項１】
　記録媒体に記録されたデータを電波を介して非接触で読み出すデータ読み出し装置において，
　画像の表示面を有する画像表示部と，
　該画像表示部に，記録媒体をかざすべき前記表示面上の所定部分を表す画像を表示させる制御手段と，
　前記所定部分にかざされた記録媒体に記録されたデータを電波を介して非接触で読み出す読み出し手段とを備え，
　前記制御手段は，前記画像表示部に，かざされるべき記録媒体の外観を示す画像を前記所定部分の位置に表示させるように構成してあること
　を特徴とするデータ読み出し装置。」
     　
第３　当審の判断
１．引用例
（１）原査定の拒絶の理由に引用された，特開２００４−１３３００９号公報（以下，「引用例１」という。）には，図面とともに，次の事項が記載されている。（なお，下線は当審において付加したものである。）
ア．「【０００７】
本発明の目的は，近接カード・リーダを外から見えない電子機器を実現することである。
【０００８】
本発明の別の目的は，非接触型カードをフラットパネル表示装置の所定位置に近づけるだけで認証が行われる電子機器を実現することである。」
イ．「【００１９】
【発明の好ましい実施形態】
　図１は，本発明の実施形態によるタブレット形の電子機器または端末１００の構成を示している。電子機器１００は，筐体１１０と，フラットパネル表示装置１２０とを具えている。フラットパネル表示装置１２０には，ユーザの認証が必要なとき，認証用の画面が表示されて，ユーザによって非接触型セキュリティ・スマートカード（ＩＣカード）２００の配置されるべき位置１２２がその画面に表示される。
【００２０】
　非接触型スマートカード２００は，その内部に，コイル・アンテナを有するＲＦ（無線周波数）送受信機２０４と，プロセッサを含むＩＣチップ２０６とを有する。スマートカード２００はバッテリを含んでいない。
【００２１】
　図２は，図１の電子機器１００の分解斜視図を示している。
電子機器１００は，フロント・フレーム１１２と，正面に透明のタッチ・パネル１２３を有する例えば液晶表示装置（ＬＣＤ）のようなフラットパネル表示装置１２０と，フラットパネル表示装置１２０の背部に設けられた，プロセッサ１３３を含むメイン・ボード１３２，認証用の近接スマートカード・リーダ１３４およびハードディスク装置１３６
【００２２】
　
近接スマートカード・リーダ１３４は，小型のコイル・アンテナを有するＲＦ送受信機を有し，そのコイル・アンテナを介してスマートカード２００との間で例えば約１３ＭＨｚの認証用のＲＦ信号を送受信する
【００２３】
　
ユーザの認証が必要なとき，電子機器１００のメイン・ボード１３２上のプロセッサ１３３は，例えばハードディスク１３６等のメモリに格納された認証用のプログラムに従って，予めスマートカード・リーダ１３４の送受信機がスマートカード２００の送受信機２０４と充分接近するように，スマートカード２００の配置されるべき認証のための領域または外形１２２をフラットパネル表示装置１２０に表示する。電子機器１００は，認証用の領域または外形１２２に合わせてスマートカード２００を近づけるよう，フラットパネル表示装置１２０上に視覚的にまたはスピーカ１１３から聴覚的にユーザに指示する。その指示は，画像，テキストまたは音声によるものであってもよい。
【００２４】
　
非接触型スマートカード２００は，それが近接スマートカード・リーダ１３４に近づいたとき，スマートカード・リーダ１３４からコイル・アンテナを介して約１３ＭＨｚの認証用の比較的高い電力の問い合わせＲＦ信号を受信して電磁波エネルギをキャパシタに蓄え，その蓄えられた電磁波エネルギによって給電されて認証のために応答し，例えばＩＤコードで変調された約１３ＭＨｚのキャリアからなるＲＦ応答信号をスマートカード・リーダ１３４に送信する
【００２５】
　
スマートカード２００がスマートカード・リーダ１３４に接近するほど，スマートカード・リーダ１３４からスマートカード２００に効率良く電力が供給される。従って，ユーザによる領域１２２に対するスマートカード２００の位置合わせはより正確であることが好ましい
  　
ウ．【図１】
　　
　図１には，認証用の領域または外形１２２が，長方形として表示され，その内部に「ここにカードを当てて下さい」との指示が表示されている。
　　
エ．上記ア〜ウによれば，引用例１には以下の発明（以下，「引用発明」という。）が記載されていると認められる。
「電子機器１００は，フロント・フレーム１１２と，正面に透明のタッチ・パネル１２３を有する例えば液晶表示装置（ＬＣＤ）のようなフラットパネル表示装置１２０と，フラットパネル表示装置１２０の背部に設けられた，プロセッサ１３３を含むメイン・ボード１３２，認証用の近接スマートカード・リーダ１３４およびハードディスク装置１３６を含み，
　前記近接スマートカード・リーダ１３４は，小型のコイル・アンテナを有するＲＦ送受信機を有し，そのコイル・アンテナを介してスマートカード２００との間で例えば約１３ＭＨｚの認証用のＲＦ信号を送受信するものであり，
　ユーザの認証が必要なとき，電子機器１００のメイン・ボード１３２上のプロセッサ１３３は，例えばハードディスク１３６等のメモリに格納された認証用のプログラムに従って，予めスマートカード・リーダ１３４の送受信機がスマートカード２００の送受信機２０４と充分接近するように，スマートカード２００の配置されるべき認証のための領域または外形１２２をフラットパネル表示装置１２０に表示するものであり，
　電子機器１００は，認証用の領域または外形１２２に合わせてスマートカード２００を近づけるよう，フラットパネル表示装置１２０上に視覚的にまたはスピーカ１１３から聴覚的にユーザに指示し，その指示は，画像，テキストまたは音声によるものであってもよく，
　認証用の領域または外形１２２が，長方形として表示され，その内部に「ここにカードを当てて下さい」との指示が表示されるものでよく，
　非接触型スマートカード２００は，それが近接スマートカード・リーダ１３４に近づいたとき，スマートカード・リーダ１３４からコイル・アンテナを介して約１３ＭＨｚの認証用の比較的高い電力の問い合わせＲＦ信号を受信して電磁波エネルギをキャパシタに蓄え，その蓄えられた電磁波エネルギによって給電されて認証のために応答し，例えばＩＤコードで変調された約１３ＭＨｚのキャリアからなるＲＦ応答信号をスマートカード・リーダ１３４に送信するものであり，
　スマートカード２００がスマートカード・リーダ１３４に接近するほど，スマートカード・リーダ１３４からスマートカード２００に効率良く電力が供給され，従って，ユーザによる領域１２２に対するスマートカード２００の位置合わせはより正確であることが好ましい，電子機器。」
　
（２）原査定の拒絶の理由に周知文献として引用された，特開２００４−３５５５８０号公報（以下，「引用例２」という。）には，図面とともに，次の事項が記載されている。（なお，下線は当審において付加したものである。）
ア．「【０００６】
　このような店舗等での使用時には，自動改札機と比べると，ＩＣカードのかざし部の存在が認知されにくくなることが考えられる。そのため，
ＩＣカードのかざし部の存在をできるだけ分かりやすく認知可能となるための手段が求められている
イ．「【００１７】
　ＩＣカード通信部３は，アンテナ部３１，金額表示部３２，信号音出力部３３，ＩＣカードかざし位置表示部３４，およびＩＣカード読取可能状態表示部３５から構成されている。アンテナ部３１は，ＩＣカードと無線通信（非接触通信）を行う際に無線信号を送受信するためのアンテナと，制御部２の制御に従って無線信号を送受信するための回路とから構成されている。そのアンテナは，例えば，図２に示すようにＩＣカードかざし位置表示部３４を構成する表面（印刷面）の下層に形成されている。
【００１８】
　金額表示部３２は，ＩＣカードに対して決済処理を行うべき金額や，ＩＣカードに蓄積されている電子マネー情報の残高を表示するための表示器である。各金額の表示は，例えば図３に示すように，それぞれ５個の７セグメントＬＥＤ（発光ダイオード）によって行われる。図２では，一例として，決済処理金額（「ご利用金額」）が「４８０円」で，電子マネー情報の残高（「カード残高」）が「９５２０円」であることを表示している。
【００１９】
　信号音出力部３３は，ブザーと，その駆動回路等から構成されていて，制御部２の制御によって，「ピピピッ」というような電子音を発生する。この実施形態では，金額表示部３２の右上方にブザー用の開口部３３ａが設けられている。
【００２０】
　
ＩＣカードかざし位置表示部３４は，本装置がＩＣカードと通信接続する際のＩＣカードのかざし位置（ＩＣカードの読み取り（書き込み）可能位置）を利用者に対して表示するための構成である。この例では，ＩＣカードの読み取り可能範囲を示すための標識であって，楕円リング状の形状（略楕円形状）を有する表示器（点灯手段）３４ａと，表示器３４ａに囲まれた位置に印刷されたＩＣカードの形状やシンボルを示す標識（標章）３４ｂとから構成されている
ウ．「【００３４】
　ＩＣカードを多機能化し，駅売店でプリペイドカードとして使う場合，上記のような形態を持たせることは特に有効であると考えられる。一方，自動改札機の場合には，いつでもＩＣカード（例えばＳｕｉｃａ）が読める状態となっているが，駅売店等で使う場合は，自動改札の場合とは異なり，店員が金額表示操作をしたタイミング以降に読み取りが可能な状態になる。すなわち，今買い物をしている人のカードから電子マネーを引き落とすためには，この特定のタイミングが必須となる。この点が，何時かざしても良い構成の自動改札機とは異なる。そこで，駅売店等で使う場合には，
かざし部の楕円リングの内側に設けられたＩＣカード読取可能状態表示部３５を構成する４点のＬＥＤ３５ａ，３５ａ，…を点滅（あるいは点灯）させてタイミングを知らせるようにしている
【００３５】
　なお，
本実施の形態で用いた４点のＬＥＤ３５ａ，３５ａ，…は，カードをかざすべき領域の目標範囲あるいは最大許容範囲を示すものと考えることができる。一方，標識３４ｂはＩＣカードと同じ大きさの枠表示を有するが，これは，有効範囲の中心を示すことになる。
【００３６】
　なお，ＩＣカード読取可能状態表示部３５としては，上記の形態を変形して，逆に，かざすタイミングになる前に禁止標示をしたり，領域を表示しない（ＬＥＤやＩＣカードの標識３４ｂなどが消えて領域が分からなくなる）といった表示をするようにしてもよい。
【００３７】
　また，
上記実施の形態では，ＩＣカードかざし位置表示部３４とＩＣカード読取可能状態表示部３５を，それぞれが独立した表示器や標識から構成することとしているが，例えば，それらの構成を１つの表示手段（液晶等による表示板）の上に画像として表示することで，１体として構成するようにしてもよい
エ．【図２】
オ．【図３】
カ．以上のア〜オによると，引用例２には以下の周知技術が記載されていると認められる。
「ＩＣカードのかざし部の存在をできるだけ分かりやすく認知可能とするために，
　ＩＣカードかざし位置表示部３４は，本装置がＩＣカードと通信接続する際のＩＣカードのかざし位置（ＩＣカードの読み取り（書き込み）可能位置）を利用者に対して表示するための構成であり，ＩＣカードの読み取り可能範囲を示すための標識であって，楕円リング状の形状（略楕円形状）を有する表示器（点灯手段）３４ａと，表示器３４ａに囲まれた位置に印刷されたＩＣカードの形状やシンボルを示す標識（標章）３４ｂとから構成され，
　ＩＣカード読取可能状態表示部３５を構成する４点のＬＥＤ３５ａ，３５ａ，…は，カードをかざすべき領域の目標範囲あるいは最大許容範囲を示すものと考えることができ，標識３４ｂはＩＣカードと同じ大きさの枠表示を有するが，これは，有効範囲の中心を示すことになり，
　ＩＣカードかざし位置表示部３４とＩＣカード読取可能状態表示部３５を，それぞれが独立した表示器や標識から構成することとしているが，それらの構成を１つの表示手段（液晶等による表示板）の上に画像として表示することで，１体として構成するようにしてもよい技術。」
　
２．対比
　そこで，本願発明と引用発明とを比較する。
（１）引用発明の「電子機器１００」は，「認証用の近接スマートカード・リーダ１３４」を含んでおり，該「近接スマートカード・リーダ１３４」は「小型のコイル・アンテナを有するＲＦ送受信機を有し，そのコイル・アンテナを介してスマートカード２００との間で例えば約１３ＭＨｚの認証用のＲＦ信号を送受信するもの」との事項から，一般に記録媒体である「スマートカード２００」との間でＲＦ信号による無線により，つまり電波を介して非接触で送受信を行うものである。
　また，引用発明の「非接触型スマートカード２００は，それが近接スマートカード・リーダ１３４に近づいたとき，スマートカード・リーダ１３４からコイル・アンテナを介して約１３ＭＨｚの認証用の比較的高い電力の問い合わせＲＦ信号を受信して電磁波エネルギをキャパシタに蓄え，その蓄えられた電磁波エネルギによって給電されて認証のために応答し，例えばＩＤコードで変調された約１３ＭＨｚのキャリアからなるＲＦ応答信号をスマートカード・リーダ１３４に送信するもの」との事項によれば，認証のために当該「スマートカード２００」に記録された「ＩＤコード」を応答として「スマートカード・リーダ１３４」に送信することから，引用発明の「電子機器１００」も，「スマートカード２００」に記録されたデータである「ＩＤコード」を，電波を介して非接触で読み出すデータ読み出し装置であるといえる。
　そうすると，本願発明と引用発明は，後記する点で相違するものの，
「記録媒体に記録されたデータを電波を介して非接触で読み出すデータ読み出し装置」
である点で共通する。
（２）引用発明の「電子機器１００」は，「正面に透明のタッチ・パネル１２３を有する例えば液晶表示装置（ＬＣＤ）のようなフラットパネル表示装置１２０」を含んでいる。
　そうすると，本願発明と引用発明は，後記する点で相違するものの，
「画像の表示面を有する画像表示部」
を備える点で共通する。
（３）引用発明の「電子機器１００」は，「ユーザの認証が必要なとき，電子機器１００のメイン・ボード１３２上のプロセッサ１３３は，例えばハードディスク１３６等のメモリに格納された認証用のプログラムに従って，予めスマートカード・リーダ１３４の送受信機がスマートカード２００の送受信機２０４と充分接近するように，スマートカード２００の配置されるべき認証のための領域または外形１２２をフラットパネル表示装置１２０に表示するものであり」との事項から，「プロセッサ１３３」が認証用プログラムに従って，「予めスマートカード・リーダ１３４の送受信機がスマートカード２００の送受信機２０４と充分接近するように，スマートカード２００の配置されるべき認証のための領域または外形１２２をフラットパネル表示装置１２０に表示する」ものであることから，当該「プロセッサ１３３」は，「フラットパネル表示装置１２０」に，「スマートカード２００の配置されるべき認証のための領域または外形１２２を表示させる」ための制御手段であるといえる。
　また，この「スマートカード２００の配置されるべき認証のための領域または外形１２２」は，「スマートカード・リーダ１３４の送受信機がスマートカード２００の送受信機２０４と充分接近するように」，「スマートカード２００」をかざすべき「フラットパネル表示装置１２０」上の範囲位置を示す画像，つまり表示面上の所定部分を表す画像である。
　そうすると，本願発明と引用発明は，後記する点で相違するものの，
「該画像表示部に，記録媒体をかざすべき前記表示面上の所定部分を表す画像を表示させる制御手段」
を備える点で共通する。
（４）引用発明の「電子機器１００」は，「認証用の近接スマートカード・リーダ１３４」を含んでおり，また，当該「認証用の近接スマートカード・リーダ１３４」は，上記（１）及び（３）で示したように，認証のために「スマートカード２００」が「フラットパネル表示装置１２０」上に表示された「スマートカード２００の配置されるべき認証のための領域または外形１２２」の位置に当てられた際に，記録された「ＩＤコード」を電波を介して非接触で読み出すものである。
　そうすると，本願発明と引用発明は，後記する点で相違するものの，
「前記所定部分にかざされた記録媒体に記録されたデータを電波を介して非接触で読み出す読み出し手段」
を備える点で共通する。
（５）以上（１）〜（４）から，本願発明と引用発明は，
「記録媒体に記録されたデータを電波を介して非接触で読み出すデータ読み出し装置において，
　画像の表示面を有する画像表示部と，
　該画像表示部に，記録媒体をかざすべき前記表示面上の所定部分を表す画像を表示させる制御手段と，
　前記所定部分にかざされた記録媒体に記録されたデータを電波を介して非接触で読み出す読み出し手段とを備えたデータ読み出し装置。」
である点で一致し，以下の点で相違している。
    　
［相違点］
　本願発明は「前記制御手段は，前記画像表示部に，かざされるべき記録媒体の外観を示す画像を前記所定部分の位置に表示させるように構成してある」のに対し，引用発明の「プロセッサ１３３」（本願発明の「制御手段」に相当）ではそのようになっていない点。
　　
３．当審の判断
　一般に，「外観」とは外側から見た感じであって，上記相違点の「記録媒体の外観」であれば，記録媒体の形状，色，模様等の様々な見た感じが含まれるのは明らかである。
　ここで，引用例２には，ＩＣカードのかざし部の存在をできるだけ分かりやすく認知可能とするとの課題を解決するために，ＩＣカードをかざすべき領域の目標範囲あるいは最大許容範囲と，ＩＣカードの形状やシンボルを示す標識（標章）を，ＩＣカードと同じ大きさの枠として印刷して表示し，有効範囲の中心を示すこと，また，これらを液晶等による表示手段の上に画像として表示する周知の技術が示されており，このＩＣカードの形状やＩＣカードと同じ大きさの枠はＩＣカードの外観の一つであるし，また，ＩＣカードのシンボルを示す標識（標章）は，例えばＩＣカードに印刷されているＳｕｉｃａ等のシンボルを示す標識（標章）であり，使用可能な，つまりかざされるべきＩＣカードの種類を示しており，これもＩＣカードの外観の一つであることから，ここにはかざされるべきＩＣカードの外観を，ＩＣカードをかざすべき領域の目標範囲あるいは最大許容範囲の中心を示すように表示すること，また，これらを表示手段上に画像として表示することが示されている。
　また，引用発明は，上記「第３　１．（１）ア」によれば，近接カード・リーダを外から見えない電子機器を実現すること，また，非接触型カードをフラットパネル表示装置の所定位置に近づけるだけで認証が行われる電子機器を実現することを目的としたものであって，近接カード・リーダを外から見えないようにするため，ユーザがスマートカードをどこに近づけてよいかがわからないことから，その対策として認証が必要なときに「スマートカード２００の配置されるべき認証のための領域または外形１２２をフラットパネル表示装置１２０に表示する」，「認証用の領域または外形１２２に合わせてスマートカード２００を近づけるよう，フラットパネル表示装置１２０上に視覚的にまたはスピーカ１１３から聴覚的にユーザに指示し，その指示は，画像，テキストまたは音声によるものであってもよく」，及び，「認証用の領域または外形１２２が，長方形として表示され，その内部に「ここにカードを当てて下さい」との指示が表示される」という構成を採用することにより，ユーザがスマートカードを近づける位置や範囲を認知可能とするものである。
　そうすると，引用発明も上記周知技術も，ユーザがスマートカードを近づける位置や範囲を認知可能とするという課題において共通するものであり，また，引用発明では「認証のための領域または外形１２２」を「長方形」として表示し，また，その内部に「ここにカードを当てて下さい」との指示を表示しているものの，一般にユーザにより分かり易くスマートカードを近づける位置や範囲，また，使用可能なスマートカードの種類を表示することは，非接触のスマートカード（ＩＣカード）の使用を前提としたユーザインターフェイスの設計においては常に考慮されるべき課題である。
　してみれば，引用発明において，ユーザにより分かり易くスマートカードを近づける位置や範囲，また，使用可能なスマートカードの種類を表示するために，さらに上記周知技術を適用し，「認証のための領域または外形１２２」を「長方形」として表示するのに加えて，当該領域または外形を表示する部分の位置に，スマートカードの形状やシンボルを示す標識（標章）を，スマートカードと同じ大きさの枠として表示させ，使用可能な，つまりかざされるべきスマートカードの外観を示す画像を所定部分の位置に表示させるように構成することにより，上記相違点２に係る構成とすることは，当業者であれば容易に想到し得たことである。
　そして，上記相違点を勘案しても，本願発明の奏する作用効果は，引用発明及び周知技術の作用効果から予測される範囲内のものにすぎず，格別顕著なものということはできない。
　　
４．まとめ
　以上のとおりであるから，本願発明は，引用発明及び周知技術に基づいて当業者が容易に発明をすることができたものであるから，特許法第２９条第２項の規定により特許を受けることができないものである。
　そして，本願発明の作用効果も，引用発明及び周知技術から当業者が予測できる範囲のものである。
　　
第４　むすび
　以上のとおり，請求項１に係る発明は，引用発明及び周知技術に基づいて当業者が容易に発明をすることができたものであり，特許法第２９条第２項の規定により特許を受けることができないものであるから，その余の請求項について検討するまでもなく，本願は拒絶すべきものである。
　　　
　よって，結論のとおり審決する。